(57)【要約】【課題】  ＩＣＣプロファイルを参照する画像情報の色変換を効率的に行う画像処理システムを提供する。【解決手段】  印刷情報に含まれ印刷すべき頁を少なくとも画像情報で構成する頁構成情報を読み込む手段と読込結果に画像情報がある場合に当該画像情報のプロファイル情報名を抽出する手段と当該情報名の抽出回数を当該情報名毎に計数する手段と計数結果を画像情報が色変換する際のプロファイル情報に対する参照回数を表す参照情報として印刷情報に添付する手段とを備えるコンピュータ１１０と、参照情報を読み込む手段と参照情報に基づき２回以上参照されるプロファイル情報に対しては最初に参照されるプロファイル情報に対してプロファイル変換する手段と変換済プロファイル情報を記憶手段に保存する手段とプロファイル情報の名前と同一のプロファイル情報の名前を有する画像情報に変換済プロファイル情報を提供する手段とを備える印刷装置２００とを有する。【選択図】  図１
2008187228.tif 000002
【特許請求の範囲】
【請求項１】
印刷情報に含まれ、かつ、印刷すべき頁を少なくとも画像情報により構成する頁構成情報を逐次読み込む読込手段と、読込結果に前記画像情報の記載がある場合に、当該画像情報が有するプロファイル情報のプロファイル情報名を抽出する抽出手段と、前記プロファイル情報名の抽出回数をプロファイル情報名毎に計数する計数手段と、計数結果を前記画像情報が色変換処理する際のプロファイル情報に対する参照回数を表す参照情報として印刷情報に添付する添付手段と、を具備する画像処理装置と、
前記参照情報を読み込む読込手段と、前記参照情報に基づいて、少なくとも２回以上参照されるプロファイル情報に対しては、最初に参照されるプロファイル情報に対してプロファイル変換する変換手段と、変換結果となる第１の変換済プロファイル情報を記憶手段に保存する保存手段と、前記プロファイル情報の名前と同一のプロファイル情報の名前を有する画像情報に、前記第１の変換済プロファイル情報を提供する提供手段と、を具備する印刷制御装置と、
を有することを特徴とする画像処理システム。
【請求項２】
印刷情報に含まれ、かつ、印刷すべき頁を少なくとも画像情報により構成する頁構成情報を逐次読み込む読込手段と、
読込結果に前記画像情報の記載がある場合に、当該画像情報が有するプロファイル情報のプロファイル情報名を抽出する抽出手段と、
前記プロファイル情報名の抽出回数をプロファイル情報名毎に計数する計数手段と、
計数結果を前記画像情報が色変換処理する際のプロファイル情報に対する参照回数を表す参照情報として印刷情報に添付する添付手段と、
を有することを特徴とする画像処理装置。
【請求項３】
印刷情報に添付された、画像情報が色変換処理する際のプロファイル情報に対する参照回数を表す参照情報を読み込む読込手段と、
前記参照情報に基づいて、少なくとも２回以上参照されるプロファイル情報に対しては、最初に参照されるプロファイル情報に対してプロファイル変換する変換手段と、
変換結果となる第１の変換済プロファイル情報を記憶手段に保存する保存手段と、
前記プロファイル情報の名前と同一のプロファイル情報の名前を有する画像情報に、前記第１の変換済プロファイル情報を提供する提供手段と、
を有することを特徴とする印刷制御装置。
【請求項４】
前記変換手段は、前記参照情報に基づいて、１回のみ参照されるプロファイル情報に対してプロファイル変換し、
前記提供手段は、変換結果となる第２の変換済プロファイル情報を提供した後、該第２の変換済プロファイル情報を破棄することを特徴とする請求項３に記載の印刷制御装置。
【請求項５】
コンピュータを、
印刷情報に含まれ、かつ、印刷すべき頁を少なくとも画像情報により構成する頁構成情報を逐次読み込む読込手段と、
読込結果に前記画像情報の記載がある場合に、当該画像情報が有するプロファイル情報のプロファイル情報名を抽出する抽出手段と、
前記プロファイル情報名の抽出回数をプロファイル情報名毎に計数する計数手段と、
計数結果を前記画像情報が色変換処理する際のプロファイル情報に対する参照回数を表す参照情報として印刷情報に添付する添付手段として機能させることを特徴とする画像処理プログラム。
【請求項６】
コンピュータを、
印刷情報に添付された、画像情報が色変換処理する際のプロファイル情報に対する参照回数を表す参照情報を読み込む読込手段と、
前記参照情報に基づいて、少なくとも２回以上参照されるプロファイル情報に対しては、最初に参照されるプロファイル情報に対してプロファイル変換する変換手段と、
変換結果となる第１の変換済プロファイル情報を記憶手段に保存する保存手段と、
前記プロファイル情報の名前と同一のプロファイル情報の名前を有する画像情報に、前記第１の変換済プロファイル情報を提供する提供手段として機能させることを特徴とする印刷制御プログラム。
【発明の詳細な説明】
【技術分野】
【０００１】
本発明は、画像処理システム、画像処理装置、印刷制御装置、画像処理プログラム及び印刷制御プログラムに関する。
【背景技術】
【０００２】
画像情報を含む、ＰＤＬ（Page Description Language：ページ記述言語）形式の印刷情報を印刷する印刷装置では、ＰＣ（Personal Computer）等が有するプリンタドライバ（以下、画像処理装置という。）で出力される時点で、画像情報にプロファイル情報に基づいた色変換処理が行われるため、印刷装置では画像情報に対してプロファイル情報に基づく色変換処理は行われていなかった（例えば、特許文献１参照）。
【０００３】
一方、ＩＣＣ（International Color Consortium）プロファイルを参照する画像情報を含む印刷情報を印刷する場合には、印刷装置でＩＣＣプロファイルを読取り、画像情報から得られるプロファイル情報をＩＣＣプロファイルに応じてプロファイル変換し、変換されたプロファイル情報（以下、変換済プロファイル情報という。）に基づいて画像情報の色変換処理を行っている。
【特許文献１】特開２００４−３０４７７３号公報
【発明の開示】
【発明が解決しようとする課題】
【０００４】
本発明は、ＩＣＣプロファイルを参照する画像情報の色変換処理を効率的に行う画像処理システムを提供することを目的とする。
【課題を解決するための手段】
【０００５】
請求項１に記載の発明は、印刷情報に含まれ、かつ、印刷すべき頁を少なくとも画像情報により構成する頁構成情報を逐次読み込む読込手段と、読込結果に画像情報の記載がある場合に、当該画像情報が有するプロファイル情報のプロファイル情報名を抽出する抽出手段と、プロファイル情報名の抽出回数をプロファイル情報名毎に計数する計数手段と、計数結果を画像情報が色変換処理する際のプロファイル情報に対する参照回数を表す参照情報として印刷情報に添付する添付手段と、を具備する画像処理装置と、参照情報を読み込む読込手段と、参照情報に基づいて、少なくとも２回以上参照されるプロファイル情報に対しては、最初に参照されるプロファイル情報に対してプロファイル変換する変換手段と、変換結果となる第１の変換済プロファイル情報を記憶手段に保存する保存手段と、プロファイル情報の名前と同一のプロファイル情報の名前を有する画像情報に、第１の変換済プロファイル情報を提供する提供手段と、を具備する印刷制御装置と、を有することを特徴とする画像処理システムである。
【０００６】
請求項２に記載の発明は、印刷情報に含まれ、かつ、印刷すべき頁を少なくとも画像情報により構成する頁構成情報を逐次読み込む読込手段と、読込結果に画像情報の記載がある場合に、当該画像情報が有するプロファイル情報のプロファイル情報名を抽出する抽出手段と、プロファイル情報名の抽出回数をプロファイル情報名毎に計数する計数手段と、計数結果を画像情報が色変換処理する際のプロファイル情報に対する参照回数を表す参照情報として印刷情報に添付する添付手段と、を有することを特徴とする画像処理装置である。
【０００７】
請求項３に記載の発明は、印刷情報に添付された、画像情報が色変換処理する際のプロファイル情報に対する参照回数を表す参照情報を読み込む読込手段と、参照情報に基づいて、少なくとも２回以上参照されるプロファイル情報に対しては、最初に参照されるプロファイル情報に対してプロファイル変換する変換手段と、変換結果となる第１の変換済プロファイル情報を記憶手段に保存する保存手段と、プロファイル情報の名前と同一のプロファイル情報の名前を有する画像情報に、第１の変換済プロファイル情報を提供する提供手段と、を有することを特徴とする印刷制御装置である。
【０００８】
請求項４に記載の発明は、請求項３に記載の発明において、変換手段が、参照情報に基づいて、１回のみ参照されるプロファイル情報に対してプロファイル変換し、提供手段が、変換結果となる第２の変換済プロファイル情報を提供した後、該第２の変換済プロファイル情報を破棄することを特徴としてる。
【０００９】
請求項５に記載の発明は、コンピュータを、印刷情報に含まれ、かつ、印刷すべき頁を少なくとも画像情報により構成する頁構成情報を逐次読み込む読込手段と、読込結果に画像情報の記載がある場合に、当該画像情報が有するプロファイル情報のプロファイル情報名を抽出する抽出手段と、プロファイル情報名の抽出回数をプロファイル情報名毎に計数する計数手段と、計数結果を画像情報が色変換処理する際のプロファイル情報に対する参照回数を表す参照情報として印刷情報に添付する添付手段として機能させることを特徴とする画像処理プログラムである。
【００１０】
請求項６に記載の発明は、コンピュータを、印刷情報に添付された、画像情報が色変換処理する際のプロファイル情報に対する参照回数を表す参照情報を読み込む読込手段と、参照情報に基づいて、少なくとも２回以上参照されるプロファイル情報に対しては、最初に参照されるプロファイル情報に対してプロファイル変換する変換手段と、変換結果となる第１の変換済プロファイル情報を記憶手段に保存する保存手段と、プロファイル情報の名前と同一のプロファイル情報の名前を有する画像情報に、第１の変換済プロファイル情報を提供する提供手段として機能させることを特徴とする印刷制御プログラムである。
【発明の効果】
【００１１】
請求項１に係る発明によれば、印刷装置において、画像情報が色変換処理をするに際し必要となる変換済プロファイル情報の共同利用を参照情報に基づいて確認でき、効率的な色変換処理が可能となる。
【００１２】
請求項２に係る発明によれば、印刷情報に、画像情報が色変換処理する際に参照されるプロファイル情報の参照回数に関する情報が添付されるため、印刷装置では、参照情報に基づいた効率的な画像情報の色変換処理が行えるようになる。
【００１３】
請求項３に係る発明によれば、２回以上参照されるプロファイル変換済のプロファイル情報が記憶手段に保存されるため、当該プロファイル情報を共同して利用することで、効率的に色変換処理が行えるようになる。
【００１４】
請求項４に係る発明によれば、１回しか参照されないプロファイル変換済のプロファイル情報に対しては、直接、色変換処理を行うことができる。
【００１５】
請求項５に係る発明によれば、印刷情報に、画像情報が色変換処理する際に参照されるプロファイル情報の参照回数に関する情報が添付されるため、印刷装置では、参照情報に基づいた効率的な画像情報の色変換処理が行えるようになる。
【００１６】
請求項６に係る発明によれば、２回以上参照されるプロファイル変換済のプロファイル情報が記憶手段に保存されるため、当該プロファイル情報を共同して利用することで、効率的に色変換処理が行えるようになる。
【発明を実施するための最良の形態】
【００１７】
以下、本発明の実施形態について、図面を参照して具体的に説明する。
図１は本発明の実施形態に係る画像処理システムの構成図である。画像処理システムは、図１に示すように、ＰＣ１００、印刷装置２００等から構成されている。ＰＣ１００、印刷装置２００等は、ケーブルやネットワーク機器等で構成されるネットワーク３００を介して互いに接続される。尚、ネットワーク３００は、無線通信等によって通信されるようにしてもよい。
【００１８】
ＰＣ１００は、液晶ディスプレイやＣＲＴディスプレイ等の出力装置１２０、キーボードやマウス等の入力装置１３０、本発明の画像処理装置を備え、これらの動作を制御するコンピュータ１１０等で構成される。コンピュータ１１０は、利用者からの入力装置１３０に対する操作に応じて文書情報を生成し、さらに、当該文書情報に対して入力装置１３０から印刷指示があると、その指示に応じて圧縮された印刷情報（以下、単に印刷情報という。）を生成する。印刷情報には、例えば、ＸＰＳ（ＸＭＬ Paper Specification）ファイル等がある。印刷情報は、ネットワーク３００を介して印刷装置２００に送信される。なお、図１においては、１台のＰＣ１００が記載されているが、複数台であってもよい。
【００１９】
印刷装置２００は、レーザー光源、帯電器、反射ミラー、トナーカートリッジ等で構成される印刷機構と当該印刷機構を制御する本発明の印刷制御装置等とから構成される。印刷制御装置は、印刷情報を受信すると、当該印刷情報を解凍して所要の画像処理を行い画像とし、印刷機構が当該画像を記録用紙等に印刷する。
【００２０】
尚、印刷装置２００は、図面に記載されたものだけに限られず、例えば、印刷機能、複写機能、ファクシミリ機能、スキャナ機能、画像情報や電子メール等の送受信機能、ノイズ除去機能、ＯＣＲ(Optical Character Reader)機能等を少なくとも１つ備える複合機等であってもよい。尚、ＯＣＲ機能とは、光学的に文字を読取る処理をいう。また、使用する印刷装置の数についても図面に記載された数だけに限られない。
【００２１】
続いて本発明の実施形態に係る画像処理装置について図２から図７を参照して説明する。
図２は上述した画像処理装置の要部構成を示す機能ブロック図、図３は画像処理装置のハードウェア構成を示す機能ブロック図、図４は印刷情報のファイルフォーマット、図５は文書構成情報の概念図、図６は頁構成情報の記載内容を示す図、図７は抽出回数記憶部の記憶形態の一例を示す概念図である。
【００２２】
画像処理装置は、図２に示すように、頁構成情報読込部１１１、画像情報抽出部１１２、プロファイル情報名抽出部１１３、プロファイル情報名抽出回数計数部１１４、抽出回数記憶部１１５、参照情報添付部１１６等から構成される。尚、画像情報抽出部１１２及びプロファイル情報名抽出部１１３等から本発明の抽出手段が構成される。
【００２３】
また、図２に示す画像処理装置の各機能ブロックは、図３に示すように、ＣＰＵ１１０ａ等の処理装置、ＳＲＡＭ(Static Random Access Memory)、ＤＲＡＭ(Dynamic RAM)やＳＤＲＡＭ（Synchronous DRAM）等のＲＡＭ１１０ｂ、フラッシュメモリ等のＲＯＭ(Read Only Memory)１１０ｃ、外部装置との入出力を行うＩ／Ｆ（インタフェース）８０ｄがバス８０ｅにより接続されたハードウェア構成により実現される。
【００２４】
したがって、ＣＰＵ１１０ａがＲＯＭ１１０ｃに格納された所要のプログラムを読み込み、当該プログラムに従った演算を行うことにより、ＣＰＵ１１０内の各機能が実現される。尚、後述する印刷制御装置についても同様の構成を有し、また、同様の動作を行う。
【００２５】
以下、図２における各機能ブロックについて詳細に説明する。
頁構成情報読込部１１１は、本発明の読込手段の一例であって、印刷情報に含まれ、かつ、印刷すべき頁を少なくとも画像情報により構成する頁構成情報を逐次読み込む。そして、当該読込結果を画像情報抽出部１１２に逐次送信する。
【００２６】
印刷情報は、図４に示すように、記録用紙等に印刷すべき文書を頁構成情報等で構成する文書構成情報、印刷すべき頁の内容を頁ごとにＸＭＬ（Extensible Markup Language）で表記した頁構成情報、印刷内容に文字が含まれる場合に、当該文字の大きさや書式等を表すフォント情報、印刷内容に画像が含まれる場合に使用される画像情報、画像情報の色変換に関する図示しないプロファイル情報等から構成される。
【００２７】
これらの各情報は互いに関連付けられており、図５に示すように、文書構成情報には、
頁構成情報１及び頁構成情報２が関連付けられている。また、頁構成情報１には画像情報１及び画像情報２が関連付けられている。さらに、画像情報１にはプロファイル情報１が関連付けられており、画像情報２にはプロファイル情報２が関連付けられている。一方、頁構成情報２には画像情報１及び画像情報３が関連付けられている。さらに、画像情報１にはプロファイル情報１が関連付けられており、画像情報３にはプロファイル情報２が関連付けられている。このように、複数の頁構成情報に１つの画像情報が関連付けられていることで、１頁目と２頁目に同じ画像が使用される場合、１つの画像情報を共同して利用することとなり、その結果、文書構成情報の容量が減ることとなる。
【００２８】
さらに、上述した頁構成情報１は、図６に示すように、記録用紙等に印刷される行、空行又は画像ごとにＸＭＬで表記される。例えば、<Glyphs Fill〜”/>で囲まれる１つのＸＭＬ表記（図において「頁構成情報の記載内容」と示す。）は記録用紙等に印刷される１行分の文字又は１行分の空行を示しており、<ImageBrush〜”/>で囲まれる１つのＸＭＬ表記（図において「画像情報の内容」と示す。）は記録用紙等に印刷される画像を示している。したがって、頁構成情報読込部１１１は、ＸＭＬ表記された<Glyphs Fill〜”/>や<ImageBrush〜”/>を逐次読み込む処理を行う。
【００２９】
画像情報抽出部１１２は、上述した頁構成情報の読込結果に画像情報の記載がある場合に当該画像情報を抽出し、プロファイル情報名抽出部１１３に送信する。したがって、画像情報抽出部１１２は、図６に示す画像情報「２．ＰＮＧ」をプロファイル情報名抽出部１１３へ送信する。
【００３０】
プロファイル情報名抽出部１１３は、受信した画像情報に添付されたプロファイル情報のプロファイル情報名を抽出する。抽出されたプロファイル情報名はプロファイル情報名計数部１１４に送信される。
【００３１】
プロファイル情報名計数部１１４は、本発明の計数手段の一例であって、プロファイル情報名の抽出回数をプロファイル情報名毎に計数する。計数結果は抽出回数記憶部１１５に記憶される。例えば、図７（ａ）に示すように、抽出回数記憶部１１５にプロファイル情報名「Ａ」が抽出回数「２」で記憶され、プロファイル情報名「Ｃ」が抽出回数「１」で記憶されている場合に、プロファイル情報名計数部１１４がプロファイル情報名抽出部１１３からプロファイル情報名「Ａ」を受信したとき、プロファイル情報名計数部１１４はプロファイル情報名「Ａ」が既に記憶されているか否かを確認し、既に記憶されていることを確認すると、図７（ｂ）に示すように、プロファイル情報名「Ａ」に対し抽出回数を１繰上げ「３」とする。さらに、プロファイル情報名計数部１１４がプロファイル情報名抽出部１１３からプロファイル情報名「Ｂ」を受信したとき、プロファイル情報名計数部１１４はプロファイル情報名「Ｂ」が既に記憶されているか否かを確認し、既に記憶されていないことを確認すると、図７（ｃ）に示すように、プロファイル情報名「Ｂ」をプロファイル情報名に追加し、抽出回数を「１」とする。このように、抽出回数記憶部１１５はプロファイル情報名ごとに抽出結果を記憶していくこととなる。プロファイル情報名計数部１１４は、プロファイル情報名の計数を終えると、抽出回数記憶部１１５に記憶されたプロファイル情報名ごとの計数結果をプロファイル情報名とともに参照情報添付部１１６に送信する。
【００３２】
参照情報添付部１１６は、本発明の添付手段の一例であって、計数結果を画像情報の色変換処理の際のプロファイル情報に対する参照回数を表す参照情報として印刷情報に添付する。これにより、印刷情報に参照情報が添付されて印刷装置２００へ送信されることとなる。
【００３３】
続いて、画像処理装置の動作について図８及び図９を参照して説明する。
図８は画像処理装置における参照情報生成処理の一例を示すフローチャート、図９は画像処理装置における計数処理の一例を示すフローチャートである。
【００３４】
画像処理装置は、まず、印刷情報に含まれる頁構成情報の記載内容を１行読み込む（ステップＳ１）。なお、ここでいう１行とは、１つの命令を実行できるだけの行をいう。次いで、読込結果に画像情報が含まれているか否かを判定する（ステップＳ２）。
【００３５】
画像処理装置は、ステップＳ２の処理において、読込結果に画像情報が含まれていないと判定した場合には、上述した参照情報の生成対象でないと判断し、ステップＳ１の処理に戻る。このように、画像処理装置は、頁構成情報の記載内容を逐次読み込むことによって画像情報の有無を判定する。一方、画像処理装置は、ステップＳ２の処理において、読込結果に画像情報が含まれていると判定した場合には、画像情報のプロファイル情報名を抽出する（ステップＳ３）。
【００３６】
画像処理装置は、次いで、抽出したプロファイル情報名に対し計数処理を行う（ステップＳ４）。当該計数処理は、図９に示すように、まず、画像処理装置が受信したプロファイル情報名と、画像処理装置が記憶しているプロファイル情報名とを比較する（ステップＳ１１）。画像処理装置は、次いで、受信したプロファイル情報名と同名のプロファイル情報名があるか否かを判定する（ステップＳ１２）。
【００３７】
画像処理装置は、ステップＳ１２の処理において、同名のプロファイル情報名があると判定した場合には、抽出回数を「１」増やし（ステップＳ１３）、同名のプロファイル情報名がないと判定した場合には、当該プロファイル情報名及び抽出回数「１」を記憶し、計数処理を終了する。
【００３８】
画像処理装置は、図８のステップＳ４の処理において、計数処理を終えると、次いで、頁構成情報の記載内容を読込み終えたか否かを判定する（ステップＳ５）。画像処理装置は、ステップＳ５の処理において、まだ頁構成情報の記載内容を読み込み終えていないと判定した場合には、ステップＳ１の処理に戻る。一方で、画像処理装置は、頁構成情報の記載内容を読込み終えたと判定した場合には、プロファイル情報名及び計数結果を取得し（ステップＳ６）、当該計数結果等を参照情報として印刷情報に添付して（ステップＳ７）、参照情報生成処理を終了する。
【００３９】
続いて、本発明の実施形態に係る印刷制御装置について図１０を参照して説明する。
図１０は印刷制御装置の要部構成を示す機能ブロック図である。
印刷制御装置は、図１０に示すように、参照情報読込部２０１、プロファイル情報変換処理部２０２、変換済プロファイル情報保存部２０３、変換済プロファイル情報記憶部２０４、変換済プロファイル情報提供部２０５、画像情報変換部２０６、画像形成部２０７等から構成される。
【００４０】
参照情報読込部２０１は、本発明の読込手段の一例であって、印刷情報に添付された、画像情報のプロファイル情報及び当該プロファイル情報に対する参照回数を表す参照情報を読み込み、読込結果をプロファイル情報変換処理部２０２に送信する。
【００４１】
プロファイル情報変換処理部２０２は、本発明の変換手段の一例であって、受信したプロファイル情報を参照情報及びＩＣＣプロファイル情報に基づいてＬ＊ａ＊ｂ＊表色系からＣＭＹＫ表色系に変換する。ここで、プロファイル情報変換処理部２０２は、参照情報を参照して、プロファイル情報名の抽出回数が少なくとも２回以上であるプロファイル情報に対しては、最初にそのプロファイル情報を変換した後は、同一のプロファイル情報に対して変換処理を行わないように制御する。すなわち、プロファイル情報の変換処理はプロファイル情報名が既に変換処理したプロファイル情報の名前と同一のものに対しては行われない。これにより、プロファイル情報の変換処理に伴う演算量が減少し、印刷制御装置の高速化が図れることとなる。変換されたプロファイル情報は変換済プロファイル情報として変換済プロファイル情報保存部２０３に送信される。
【００４２】
変換済プロファイル情報保存部２０３は、本発明の保存手段の一例であって、受信した変換済プロファイル情報のうち、参照情報に基づいて、プロファイル情報が２回以上参照されるものについて変換済プロファイル情報記憶部２０４に記憶する。そのため、１回しか参照されない変換済プロファイル情報については、変換済プロファイル情報記憶部２０４に記憶しない。これにより、変換済プロファイル情報記憶部２０４が記憶すべき変換済プロファイル情報の容量が減少するため、変換済プロファイル情報記憶部２０４は効率的に記憶することとなる。尚、変換済プロファイル情報記憶部２０４は、本発明の記憶手段の一例である。
【００４３】
変換済プロファイル情報提供部２０５は、本発明の提供手段の一例であって、受信した印刷情報に含まれ、頁構成情報に関連付けられた画像情報を抽出し、当該画像情報に応じた変換済プロファイル情報を変換済プロファイル情報変換処理部２０２又は変換済プロファイル情報記憶部２０４から抽出して提供する。例えば、抽出した画像情報に応じた変換済プロファイル情報が変換済プロファイル情報記憶部２０４に記憶されている場合には、当該変換済プロファイル情報を画像情報に提供する。一方で、変換済プロファイル情報記憶部２０４に記憶されていない場合には、変換済プロファイル情報変換処理部２０２から直接、画像情報に応じた変換済プロファイル情報を提供する。このように、印刷制御装置が受信したプロファイル情報をすべて変換済プロファイル情報とすることなく、画像情報の変換に必要な変換済プロファイル情報が重複する場合には、変換済プロファイル情報を使い回すこととなる。
【００４４】
画像情報色変換部２０６は、変換済プロファイル情報提供部２０５から提供された変換済プロファイル情報に基づき画像情報の色に関する情報を変換する。変換された画像情報は画像形成部２０７へ送信される。
【００４５】
画像形成部２０７は、受信した画像情報に基づいて記録用紙等に印刷すべき画像を形成し、図示しない印刷機構に送信する。
【００４６】
続いて、印刷制御装置の動作について図１０を参照して説明する。
図１０は印刷制御装置における保存処理の一例を示すフローチャートである。
印刷制御装置は、まず、印刷情報に添付された参照情報を読み込む（ステップＳ２１）。印刷制御装置は、次いで、参考情報に基づいて、プロファイル情報が複数回参照されるか否かを判定する（ステップＳ２２）。
【００４７】
印刷制御装置は、ステップＳ２２の処理において、プロファイル情報が複数回参照されると判定した場合には、プロファイル情報を変換した変換済プロファイル情報を保存対象とし、プロファイル情報は複数回参照されるものでないときには、保存対象としない。これにより、画像情報に複数回参照されるプロファイル情報のみが保存されることとなる。
【００４８】
印刷制御装置は、変換済プロファイル情報の保存可否に関する処理を終えると、次いで、参照情報を読込み終えたか否かを判定する（ステップＳ２４）。印刷制御装置は、参照情報を読込み終えていない場合には、ステップＳ２１の処理に戻り、参照情報を読込み終えた場合には、保存処理を終了する。
【００４９】
続いて印刷制御装置の動作について図１２を参照して説明する。
図１２は印刷制御装置における動作の一例を示すフローチャートである。
印刷制御装置は、まず、印刷情報にプロファイル情報が添付されているか否かを判定する（ステップＳ３１）。印刷制御装置は、印刷情報にプロファイル情報が添付されていると判定した場合には、次いで、プロファイル情報を既に変換したか否かを判定する（ステップＳ３２）。
【００５０】
印刷制御装置は、ステップＳ３２の処理において、当該プロファイル情報をまだ変換していないと判定した場合には、当該プロファイル情報をＩＣＣプロファイルに基づいてプロファイル変換し、変換済プロファイル情報とする（ステップＳ３３）。これにより、印刷装置における画像形成に適したプロファイル情報となる。
【００５１】
印刷制御装置は、次いで、変換済プロファイル情報が保存対象であるか否かを判定する（ステップＳ３４）。すなわち、当該変換済プロファイル情報は画像情報から２回以上参照される変換済プロファイル情報であるか否かを判定する。当該判定には、上述した参照情報等が利用される。
【００５２】
印刷制御装置は、ステップＳ３４の処理において、２回以上参照される変換済プロファイル情報であると判定した場合には、当該変換済プロファイル情報を記憶手段に保存する。（ステップＳ３５）。なお、１回しか参照されない変換済プロファイル情報であると判定した場合には、記憶手段への保存対象としない。
【００５３】
印刷制御装置は、次いで、変換済プロファイル情報に基づく画像情報の色変換処理を行う（ステップＳ３６）。ここで使用されるプロファイル情報は、記憶手段に記憶されている変換済プロファイル情報又は保存対象とならなかった変換済プロファイル情報のいずれかである。色変換処理を終えると、印刷制御装置は、画像形成処理を行い（ステップＳ３７）、処理を終了する。
【００５４】
このように、異なる画像情報が同じ変換済プロファイル情報を参照して色変換処理する場合に、変換済プロファイル情報を保存しておくことで、画像情報に提供する度にプロファイル変換処理をせずに、当該変換済プロファイル情報を共同して利用することとなる。一方で、変換済プロファイル情報を１回しか参照しない画像情報は、変換済プロファイル情報を保存させる必要性は少なく、その分、記憶手段の記憶容量を確保することとなる。
【００５５】
なお、印刷制御装置は、ステップＳ３１の処理において、印刷情報にプロファイル情報が添付されていないと判定した場合には、ＩＣＣプロファイルに応じたプロファイル変換処理を行わずに、画像形成処理を行う。また、ステップＳ３２の処理において、既にプロファイル情報がプロファイル変換されていると判定した場合には、記憶手段に変換済プロファイル情報が記憶されているため、ステップＳ３３からＳ３５の処理は行わない。
【００５６】
また、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。
【産業上の利用可能性】
【００５７】
以上説明したように、本発明によれば、印刷装置において、画像情報が色変換処理をするに際し必要となるプロファイル情報の共用が参照情報に基づいて確認でき、効率的な色変換処理が可能となり、産業上の利用可能性が高い。
【図面の簡単な説明】
【００５８】
【図１】画像処理システムの構成図である。
【図２】画像処理装置の要部構成を示す機能ブロック図である。
【図３】画像処理装置のハードウェア構成を示す機能ブロック図である。
【図４】印刷情報のファイルフォーマットを示す図である。
【図５】文書構成情報の概念図である。
【図６】頁構成情報の記載内容を示す図である。
【図７】抽出回数記憶部の記憶形態の一例を示す概念図である。
【図８】画像処理装置における参照情報生成処理の一例を示すフローチャートである。
【図９】画像処理装置における計数処理の一例を示すフローチャートである。
【図１０】印刷制御装置の要部構成を示す機能ブロック図である。
【図１１】印刷制御装置における保存処理の一例を示すフローチャートである。
【図１２】印刷制御装置における動作の一例を示すフローチャートである。
【符号の説明】
【００５９】
１００  ＰＣ
１１０  コンピュータ
１１０ａ  ＣＰＵ
１１０ｂ  ＲＡＭ
１１０ｃ  ＲＯＭ
１１０ｄ  Ｉ／Ｆ
１１０ｅ  バス
１１１  頁構成情報読込部
１１２  画像情報抽出部
１１３  プロファイル情報名抽出部
１１４  プロファイル情報名抽出回数計数部
１１５  抽出回数記憶部
１１６  参照情報添付部
１２０  出力装置
１３０  入力装置
２００  印刷装置
２０１  参照情報読込部
２０２  プロファイル情報変換処理部
２０３  変換済プロファイル情報保存部
２０４  変換済プロファイル情報記憶部
２０５  変換済プロファイル情報提供部
２０６  画像情報色変換部
２０７  画像形成部
３００  ネットワーク
【図１】
2008187228.tif 000003
【図２】
2008187228.tif 000004
【図３】
2008187228.tif 000005
【図４】
2008187228.tif 000006
【図５】
2008187228.tif 000007
【図６】
2008187228.tif 000008
【図７】
2008187228.tif 000009
【図８】
2008187228.tif 000010
【図９】
2008187228.tif 000011
【図１０】
2008187228.tif 000012
【図１１】
2008187228.tif 000013
【図１２】
2008187228.tif 000014